(57)【要約】  第１ゲートで対称又は非対称に、及び第２ゲートで対称に動作し得るＳＡＷフィルタ装置が提案される。第１ゲートはＤＭＳフィルタ構造の入力と接続され、ＤＭＳフィルタ構造は出力側では互いに対して対称に動作し得る２つの平衡端子を有する。ＤＭＳフィルタ構造の２つの平衡端子のそれぞれは縦続接続された共振器に接続され、縦続接続された共振器は、順に、直接第２ゲートに接続される。【選択図】図１
2009529260.tif 000002
【特許請求の範囲】
【請求項１】
対称又は非対称に動作し得る第１ゲートと、
対称に動作し得る第２ゲートと、
を備え、
前記第１ゲートはＤＭＳフィルタ構造の入力に接続され、
前記ＤＭＳフィルタ構造の出力は、対称に動作し得る端子対を有し、
前記２つの対称な端子のそれぞれは、前記ＤＭＳフィルタ構造の出力で縦続接続された共振器に直接接続される、
ＳＡＷフィルタ装置。
【請求項２】
前記縦続接続された１つ又は複数の共振器は前記第２ゲートに直接接続される、
請求項１に記載のフィルタ装置。
【請求項３】
前記縦続接続された共振器は、前記ＤＭＳフィルタ構造の出力において対称に動作し得る前記端子対と前記第２ゲートとの間で直列に接続される、
請求項１又は２に記載のフィルタ装置。
【請求項４】
前記縦続接続された共振器は、前記ＤＭＳフィルタ構造の出力において対称に動作し得る前記端子対に並列に、及び第２ゲートに並列に接続される、
請求項１ないし３のうち１項に記載のフィルタ装置。
【請求項５】
前記第２ゲート、及び前記ＤＭＳフィルタ構造の出力において対称に動作し得る前記端子対に直列及び／又は並列に接続される前記共振器は、縦続接続されるダブルゲート共振器において実施される、
請求項１ないし４のうち１項に記載のフィルタ装置。
【請求項６】
前記ＤＭＳフィルタ構造は２つのＤＭＳフィルタトラックを有し、前記ＤＭＳフィルタトラックの入力は前記第１ゲートに接続され、それぞれが非対称な出力を有し、
前記２つの非対称な出力は出力における対称な端子対を形成し、縦続接続された共振器に接続される、
請求項１ないし５のうち１項に記載のフィルタ装置。
【請求項７】
前記ＤＭＳフィルタ構造の出力に直列に接続された共振器は、周波数に応じて伝達範囲の中央と上端との間に配置される共振周波数を有する、
請求項１ないし６のうち１項に記載のフィルタ装置。
【請求項８】
前記ＤＭＳフィルタ構造の出力に並列に接続された共振器は、通過帯域の下方側面の付近において伝達範囲以下に配置された共振周波数を有する、
請求項１ないし７のうち１項に記載のフィルタ装置。
【請求項９】
前記ＤＭＳフィルタ構造は中央の変換器を有し、
前記変換器は、反射面と対称を成し、出力側で前記第２ゲートの方を向いた分離した電流バスを有するＶスプリット変換器として構成され、
前記変換器の両半分において対称な信号が適用される、
請求項１ないし８のうち１項に記載のフィルタ装置。
【請求項１０】
前記Ｖスプリット変換器の連続電流バスは、少なくとも１つの側において、伸張した電極指を介して隣接する変換器の反対側の電流バスに接続され、
前記反対側の電流バスは接地端子に接続される、
請求項９に記載のフィルタ装置。
【請求項１１】
前記ＤＭＳフィルタ構造の対称な出力に接続された前記共振器の全てはダブルゲート共振器の２回縦続接続として構成される、
請求項１ないし１０のうち１項に記載のフィルタ装置。
【請求項１２】
前記ＤＭＳフィルタ構造の対称な出力に接続された前記ダブルゲート共振器は反射平面に関して対称に構成される、
請求項１１に記載のフィルタ装置。
【請求項１３】
前記縦続接続された共振器の前記変換器は互いに密接な空間付近に配置される、又は共通の中央電流バスを有する、
請求項１ないし１２のうち１項に記載のフィルタ装置。
【請求項１４】
前記縦続接続の２つの隣接するどの変換器も、変換器の電極指に垂直に位置する及び共通の中央電流バスを通過する反射平面と対称を成して構成される、
請求項１３に記載のフィルタ装置。
【請求項１５】
前記ＤＭＳフィルタ構造は直列に接続した２つのＤＭＳフィルタトラックを有する、
請求項１ないし１４のうち１項に記載のフィルタ装置。
【発明の詳細な説明】
【背景技術】
【０００１】
ＳＡＷ技術におけるバンドパスフィルタの選択性を改善するために、ＤＭＳフィルタを共振器の形のリアクタンス素子と並列又は直列に相互接続させることが知られている。ＳＡＷフィルタには、シングルゲート又はダブルゲート構造のＳＡＷ共振器として同じチップの上にこれらの共振器を実施することが提供される。
【０００２】
米国特許第５６９４０９６号から、両側非対称に動作するＤＭＳフィルタが知られており、そのＤＭＳフィルタは入力側及び出力側で直列にシングルゲート共振器と相互接続する。米国特許第５７７０９８５号から、ＤＭＳフィルタを直列及び並列のシングルゲート共振器と相互接続させることが知られている。国際公開第２００５／１０７０６５号から、出力側の対称に動作するＤＭＳフィルタを直列に音響ダブルゲート共振器と相互接続させることが知られている。
【発明の開示】
【発明が解決しようとする課題】
【０００３】
ＤＭＳフィルタ、ひいては直列又は並列に相互接続された共振器を有するフィルタ装置を最適化するために、低電気容量の共振器は特に強く印加された極位置を有するので、低電気容量の共振器は必要となり得る。しかし、低電気容量の共振器には、少ない指部数及び／又は小さな開口部を備えてのみしばしば実施される、という問題が表れる。しかし、平均波長λの倍数として表現された、２０λ未満のサイズの小さい開口部は、横の損失を増加させる。一方、１００より少ない電極指を備えた共振器は反射器の損失を増加させ、ひいてはフィルタ装置の全損の増加を起こし、通過帯域における望ましくない共振ピークを引き起こす。
【０００４】
従って、本発明の課題は、損失が低く通過帯域において望ましくない共振ピークを最小にする、共振器に相互接続されたＤＭＳフィルタのフィルタ装置を明記することである。
【０００５】
この課題は請求項１の特徴を備えたＳＡＷフィルタ装置によって達成される。発明の有利な構成は附加的な請求項から明らかになる。
【課題を解決するための手段】
【０００６】
完全にＳＡＷ技術で構成され、対称又は非対称に動作し得る第１ゲートと対称に動作し得る第２ゲートとの間で相互接続され得、結果として平衡／平衡又はシングルエンド／平衡式に動作し得る、フィルタ装置が明記される。第１ゲートはＤＭＳフィルタ構造に接続され、ＤＭＳフィルタ構造はフィルタ装置の主なフィルタ機能を保証し、通過帯域における伝達動作を有する。第１ゲートが非対称に動作する場合、対称な出力信号への非対称入力信号の変形はＤＭＳフィルタ構造内で達成される。対称に動作し得る第２ゲートの方へ向けられる、ＤＭＳフィルタ構造の出力は、対称に動作し得る端子の対を有する。これら２つの端子はそれぞれ、縦続接続された共振器に直接相互接続され、一方共振器は順に直接第２ゲートに接続される。
【０００７】
縦続接続された共振器は直列に接続された共振器と考えられ、縦続接続の段数は直列に接続された共振器の数に一致する。縦続接続の各段の各共振器は少なくとも１つのインターデジタル変換器を有し、それは２つの反射器構造の間に配置される。１つ以上のインターデジタル変換器はその２つの電流バスを用いて接続され、第１縦続接続段にある少なくとも１つの電流バスは、出力側で平衡を保つＤＭＳフィルタ構造端子対に接続される。１つ以上のインターデジタル変換器の第２の電流バスは第２縦続接続段のインターデジタル変換器に接続される。その第２電流バスは次の縦続接続段、又は２段縦続接続の場合には接地端子あるいは第２ゲートに接続される。出力での２つ共振器は第２ゲートにも並列に接続され得る。その際、接地への第２電流バスの接続も除去され得、第２縦続接続段の２つの電流バスのみ互いに接続される。
【０００８】
各縦続接続段の各共振器は、共振及び反共振が形成され得る、正確に１つの共振室を有し得る。１つのインターデジタル変換器に加えて、追加のインターデジタル変換器又は規則的なパタンで配置された他の格子状の電極構造が提供され得る。これらはフィルタ装置に接続され得るが必須ではない。
【０００９】
本発明の好適実施形態において、縦続接続された共振器は第２ゲートに面したＤＭＳフィルタ構造の出力側端子対と第２ゲートとの間に直列に接続される。この装置によって、通過帯域の高周波数側に位置する頂上側面は改善され、特により急勾配の形状を有し得る。ここで、直列に接続された縦続接続共振器の反共振は、通過帯域に直接隣接する位置に極位置を配置し、従って通過帯域の急勾配の側面を得るのに用いられる。共振器の共振周波数はそのとき有利に通過帯域内で選択される。
【００１０】
縦続接続された１つ又は複数の共振器を並列にＤＭＳフィルタ構造の出力側の対称端子対に、及び並列に第２ゲートに接続することも可能である。この場合、第１縦続接続段の１つ以上のインターデジタル変換器の第１電流バスはＤＭＳフィルタ構造の平衡端子の１つ及び第２ゲートの両方に接続される。その際、最終縦続接続段のインターデジタル変換器の第２電流バスは接地端子に接続され得る。
【００１１】
ＤＭＳフィルタ構造の２つの出力側端子のそれぞれは共振器又は共振器のインターデジタル変換器に接続され、並列装置においてこの共振器のそれぞれが有利に接地側の終端を有するので、２つの端子電流バス、すなわち外側に向いている最終縦続接続段のインターデジタル変換器の電流バスは、互いに接続されている。ここで、この終端がフローティングで、すなわち接地又は他の固定した外部電位に接続しないことは可能である。対称な装置によって、実質上の接地は２つの端子電流バスのこの接続に適用される。
【００１２】
共振器は有利に２段縦続接続として構成され、多くの場合、望ましい効果が実施され得る。共振器のｎ段縦続接続はｎ個のコンデンサの直列回路に対応する。ｎ回縦続接続における全体の実効電気容量Ｃｇを達成するために、縦続接続段の個々の共振器の電気容量は、ここでは、ｎ倍の電気容量を有さなければならないので、個々の共振器の平均電気容量Ｃｅにおいては、Ｃｅ＝ｎＣｇが適用される。
【００１３】
共振器の電気容量は基本的に、相互接続したインターデジタル変換器の開口部と指部の数の積に比例するので、ｎ倍の電気容量は電極指の数においてｎ回の増加又は共振器の開口部あるいは２つの組み合わせにおけるｎ回の増加を経て得られる。電極指の数および開口部が同時に増加する場合、開口部と電極指の数の積をｎ倍に増加させるのに十分である。各共振器の増加した電気容量によって、小さすぎる多くの電極指及び／又は小さすぎる開口部の前述の不都合は回避される。
【００１４】
ＤＭＳフィルタ構造において対称に動作する両方の出力側端子はそれぞれ縦続接続した共振器に接続されるので、これらの２つの縦続接続された共振器をそれぞれ、２つの反射器構造の間でインターデジタル変換器を有するシングルゲート共振器として構成することが可能である。
【００１５】
縦続接続したダブルゲート共振器において２つの縦続接続した共振器を実施することも可能であり、各縦続接続段は２つの反射器構造間に少なくとも２つのインターデジタル変換器を有する。ここで、２つのインターデジタル変換器それぞれが、共振器の１つに対応し、それはＤＭＳフィルタ構造の平衡端子の１つと接続される。ダブルゲート共振器の両方のインターデジタル変換器は２つの反射器構造間の同じ共振室を音響的に使用するので、電極指の端子列は両方のインターデジタル変換器が共振時に定常波と同相であるように構成される。例えばＤＭＳフィルタ構造の２つの端子間の厳密に１８０°の位相差によって、２つのインターデジタル変換器が音響トラックに垂直な反射平面に対して対称動作を有する場合にこれは達成される。従って、ダブルゲート共振器の共振室は、規則的なパタンで、電極指で満たされ、共振器の各縦続接続段の２つのインターデジタル変換器において互いに向かい合う２つの端子電極指は同じ方向を向く。ダブルゲート共振器の少なくとも２段縦続接続を備えて、スペースを節約するコンパクトな装置が得られ、それはまた高対称性を有して動作し得、従って第２ゲートでフィルタ装置の対称特性を改良し、又は少なくとも悪影響を与えない。
【００１６】
対称又は非対称に動作し得る第１ゲートは、ＤＭＳフィルタ構造に接続され、それは並列に接続された１つ以上のＤＭＳフィルタトラックの形で実施される。ここで、いずれの場合にも個々のＤＭＳフィルタトラックを直列に縦続接続された２つのＤＭＳフィルタトラックで置き換えることも可能であり、フィルタ装置の選択性は増加する。フィルタ装置が信号端子及び接地端子に接続される場合、フィルタ装置は入力側又は非対称に第１ゲートにおいて相互接続される。出力側では、フィルタ装置は対称に接続され平衡式に動作し得る２つの端子、すなわち対称信号が適用され得るが、反対の極性だが有利に等しい振幅を有する対称端子対を有する。位相差は有利に１８０°に等しい。
【００１７】
フィルタ装置が２つ以上だが、有利にＤＭＳフィルタトラックが偶数の場合、ＤＭＳフィルタ構造の２つの対称端子は異なるＤＭＳフィルタトラックの非対称な出力においても得られる。２つのフィルタトラックのそれぞれは出力側において非対称のシングルエンド信号を伝達し得る。互いに対して、ＤＭＳフィルタトラックは、その際、電極指の端子列に対して、２つのシングルエンド信号が一緒に対称信号対を生成し得るような方法で成形される。
【００１８】
しかし、それぞれが対称な出力を備える２つのＤＭＳフィルタトラックを互いに接続することも可能であり、出力側では、極性又は位相が適合した２つの端子は互いに接続もしくは並列に差し替えられる。
【００１９】
ＤＭＳフィルタ構造の出力に対して並列に接続された共振器は、共振周波数がちょうど通過帯域以下になるような方法で、周波数に応じて選択され得る。従って、より急勾配の下側面が得られる。
【００２０】
好ましくは、中央の変換器としていわゆるＶスプリット変換器を有するＤＭＳフィルタ構造が使用される。そのようなＶスプリット変換器は一側面において連続第１電流バスを有し、他側面において中央で分けられた第２電流バスを有する。電極指及び分割された電流バスは基底表面に対して垂直な反射平面と対称を成して構成される。これは、異なる位相を有する信号、特に対称な信号が、分割された電流バスの両半分でタップされ得る。
【００２１】
連続電流バスは接地に接続される又はフローティング動作する可能性があり、後者ではこの電流バスの電位は動作において実質上の接地に対応する。しかし、出力の対称性という点においてより良い対称特性は、共通の電流バスが接地電位に接続されている場合に得られる。
【００２２】
ＤＭＳフィルタ構造がＶスプリット変換器を有するあるフィルタ装置において、分割した電流バスの両半分は対称に動作し得るゲートに向き、互いと対称を成す信号を伝達する。Ｖスプリット変換器の各サブ変換器は、出力側で適当な極性の信号を伝達する１つ以上のインターデジタル変換器にＤＭＳフィルタ構造において並列に接続され得る。ＤＭＳフィルタ構造は、有利には入力及びＤＭＳフィルタ構造の出力の１つに交互に接続された奇数個のインターデジタル変換器を有する。３個、５個又は７個のインターデジタル変換器を備えたＤＭＳフィルタトラックは適しており、それらの１つはＶスプリット変換器であり得る。しかし、Ｖスプリット変換器は電気的に直列に接続された２つの隣接するインターデジタル変換器によって置き換えることも可能である。
【００２３】
ＤＭＳトラック内でインターデジタル変換器の各電流バスが良好な接地に接続されている場合に、ＤＭＳフィルタ装置の平衡端子の高対称性は得られる。本発明の１つの構成において、接地端子は排除され、Ｖスプリット変換器として形成された中央のインターデジタル変換器の最外部の電極指は、それぞれが隣接するインターデジタル変換器の反対の電流バスに接続するように伸張される。このようにして、Ｖスプリット変換器の非分割の連続電流バスをＤＭＳフィルタトラックの音響トラックを介して隣接する変換器の電流バスに横方向に接続し、またこの電流バスを介して接地に接続することが可能である。ＤＭＳトラックが対称な出力を有する場合、接地接続は１つの指部を備えたＶスプリット変換器の一側面にトラックを介して横方向に到達し、他側面では、対称性のため、特に、２つ電流バスを接続する他の伸張した指部から構成され得るブラインド指部が挿入される。
【００２４】
本発明によるフィルタ装置は３つの音響トラックにおいて実施され得る。ＤＭＳフィルタ構造、特に個々のＤＭＳフィルタトラックは第１トラックに配置される。他の２つのトラックは２回縦続接続されたダブルゲート共振器の２つの縦続接続段によって仮定され得る。好適な構成においては、これらの３つの音響トラックは直接互いに隣接する。
【００２５】
しかし、３つ以上の音響トラックを備えたフィルタ装置を実施する可能性もある。３回以上の縦続接続された共振器は第３の音響トラックを要求する可能性がある。しかし、両方の縦続接続段は１つの音響トラック内に配置されるように、共振器の縦続接続を実施することも可能である。ＤＭＳフィルタ構造が、２つの音響トラックで実施される２つのＤＭＳフィルタトラックから構成される場合に、より多数の音響トラックは与えられる。
【００２６】
もはや互いに直接に隣接しないように縦続接続された共振器の異なる縦続接続段を空間的に分離することも可能である。しかし、有利に、連続する縦続接続段は、直接に隣接し、フィルタ装置に関して、音響トラックに並列に２つの縦続接続段の間に配置された反射平面に関して対称に構成され得る。共通の電流バスの形で共振器の２つの連続する縦続接続段の互いを向いた２つの電流バスが実施される可能性もあり、そこから２つの縦続接続段の電極指は２つの相対する方向に向かって伸びる。
【発明を実施するための最良の形態】
【００２７】
以下本発明は実施形態と関連した図を参照して詳細を説明する。図は概略的に及び実測ではなく構成されているので、絶対的及び相対的な寸法情報は図から得ることは出来ない。
【００２８】
図１は本発明の第１の実施形態を示し、ＤＭＳフィルタＤＳｔは出力側で端子対ＤＡ１、ＤＡ２を有し、それらは対称に動作する可能性があり、２回縦続接続されたシングルゲート共振器に直列にそれぞれ接続される。フィルタ装置は、信号端子Ｔ１及び対応するＤＭＳ構造ＤＳｔの接地端子によって形成された第１の非対称ゲートと、２つの対称な端子Ｔ２及びＴ３によって形成された第２の対称ゲートと、の間に接続される。
【００２９】
ＤＭＳ構造ＤＳｔにおいて、５つのインターデジタル変換器ＩＤＴ１、ＩＤＴ２、ＶＳ、ＩＤＴ３及びＩＤＴ４は２つの反射器Ｒｅｆの間に配置される。中央のＶスプリット変換器ＶＳは代わりに直列に接続された２つの“通常の”インターデジタル変換器によって置き換えることも可能である。ＤＭＳ構造の出力側（ＤＭＳ構造の下の指部）において、第１インターデジタル変換器ＩＤＴ１の下方電流バスは第１対称端子でＶスプリット変換器ＶＳの左のサブ変換器の下方電流バスに接続される。ＤＭＳ構造ＤＳｔの出力側の第２対称端子ＤＡ２は、Ｖスプリット変換器ＶＳの右のサブ変換器の下方電流バスと第４インターデジタル変換器ＩＤＴ４の下方電流バスとを結びつけることによって形成される。信号入力の端子Ｔ１は第２及び第３のインターデジタル変換器ＩＤＴ２、ＩＤＴ３の上方電流バスに接続される。対称な出力ＤＡ１及びＤＡ２と第２ゲートを形成する端子Ｔ２及びＴ３との間に直列に接続された２つの２回縦続接続された共振器ＲＳ１、ＲＳ２は、それぞれ同じ構成及び有利に同じ共振周波数を有し、すなわち、２つの縦続接続されたシングルゲート共振器の各インターデジタル変換器の電極指は同じ指間隔（ピッチ）を有する。同様に、同じ指間隔は縦続接続された各共振器の２つの縦続接続段の２つの共振器の間に与えられる。このようにして、第２ゲートにおいて極めて対称的な信号を与える高対称性が維持される。
【００３０】
しかし、ＤＭＳフィルタ構造の対称な出力ＤＡ１及びＤＡ２において、対応する、異なって構成された、縦続接続された共振器を介して、生成される可能性のある対称ひずみを同等にすることも可能である。各縦続接続された共振器の異なる縦続接続段の共振器間の指部間隔は異なるように選択されるので、他の極位置の生成は可能である。
【００３１】
図２は図１に示されたフィルタ装置の変形を示し、元は離間した２つの２回縦続接続した共振器を組み合わせて１つの縦続接続されたダブルゲート共振器としたものである。ダブルゲート共振器の第１（上方）ゲートはＤＭＳフィルタ構造ＤＳｔの対称端子に接続される。ダブルゲート共振器の第２ゲート（図のかなり下に示された）は端子Ｔ２及びＴ３から構成されるフィルタ装置の第２ゲートに接続される。
【００３２】
ダブルゲート共振器ＺＲＳは表面波の伝播方向に垂直な反射平面に対して対称に構成される。
【００３３】
図３は、ＤＭＳ構造ＤＳｔが中央に配置されたＶスプリット変換器ＶＳ及び４つの通常の変換器ＩＤＴ１ないしＩＤＴ４を有する他のフィルタ装置を示す。しかし、図２による装置とは対照的に、Ｖスプリット変換器ＶＳの最外部の電極指ＦＶは長く伸びているので、電極指は隣接するインターデジタル変換器ＩＤＴ２及びＩＤＴ３の反対の電流バスに音響トラクトを介して横方向に接続する。これらの２つの電流バスはそれぞれ接地端子を有するので、このようにして、Ｖスプリット変換器ＶＳの非分離の上方電流バスもまた接地に接続される。
【００３４】
図４は、ＤＭＳ構造ＤＳｔが２つの反射器の間に配置された３つだけのインターデジタル変換器から作られた他のフィルタ装置を示す。縦続接続されたダブルゲート共振器ＺＲＳはＤＭＳ構造ＤＳｔの出力に直列に接続される。
【００３５】
図５は、ＤＭＳ構造が音響的に分断されたＤＭＳトラックＤＳＰ１、ＤＰＳ２を有する、他のフィルタ装置を示す。各ＤＳＰトラックＤＳＰは３つの変換器のＤＭＳトラックであり、出力側でＤＭＳトラックの２つの外側のインターデジタル変換器の下方電流バスはそれぞれ並列に相互接続される。しかし、各ＤＭＳトラックの２つの非対称な出力は互いに対して対称なので、２つのＤＭＳトラックから作られるＤＭＳフィルタ構造は出力側で対称端子ＤＡ１、ＤＡ２を有し、それらは縦続接続されたダブルゲート共振器ＺＲＳを介して直列にフィルタ装置の第２ゲートに接続される。
【００３６】
ＤＭＳフィルタ構造の２つのＤＭＳフィルタトラックへの分割は、ＤＭＳフィルタ構造の２つの対称な出力ＤＡ１、ＤＡ２が相互に影響を受けることはなく、従って互いに別個に最適化され得るので、２つの端子ＤＡ１、ＤＡ２において、信号振幅及び位相に関して高対称性を有する信号が得られる可能性がある、という有利な点を有する。
【００３７】
図６は、ＤＭＳ構造ＤＳｔが、信号端子Ｔ１及びＤＭＳ構造の対応する接地端子によって形成される第１の非対称ゲートと、端子Ｔ２及びＴ３によって形成される第２の対称ゲートとの間に接続される、他のフィルタ装置を示す。縦続接続されたダブルゲート共振器ＺＲＰは第２ゲートに並列に、従ってＤＭＳフィルタ構造ＤＳｔの対称な出力側端子に並列に接続される。第１（上方）縦続接続段の２つのインターデジタル変換器は第２ゲートに接続され、一方下方の第２縦続接続段の２つのインターデジタル変換器は出力側で互いに接続され、従って直列に接続される。この接続は選択的に接地端子ＭＡに接続することも可能である。さらに、第２縦続接続段の２つのインターデジタル変換器を互いに離れて接地に接続することは可能である。
【００３８】
ＤＭＳフィルタ構造ＤＳｔの対称な出力に並列に接続されたダブルゲート共振器はＤＭＳフィルタ構造ＤＳｔの通過帯域以下にある共振周波数を有する。共振器の接地への並列接続を介して、このようにして、並列共振器の共振周波数に対応し、フィルタ装置のより急勾配な左の通過帯域側面を作る極位置は生成される。
【００３９】
図７は、ＤＭＳフィルタ構造ＤＳｔが対称な出力を有する５つの変換器のＤＭＳフィルタトラックとして構成された、他の実施形態を示す。ここで、ＤＭＳフィルタ構造ＤＳｔの中央のインターデジタル変換器は、Ｖスプリット変換器としてではなく通常のインターデジタル変換器として構成される。縦続接続されたダブルゲート共振器ＺＲＳはＤＭＳフィルタ構造と第２ゲートとの間に直列に接続される。
【００４０】
図８は本発明に係るフィルタ装置の別の変形形態を示し、ＤＭＳフィルタ構造ＤＳｔは第１の縦続接続されたダブルゲート共振器ＺＲＳに直列に、及び第２の縦続接続されたダブルゲート共振器ＺＲＰに並列に、接続される。ＤＭＳ構造ＤＳｔによって形成される通過帯域に対して縦続接続された共振器の共振周波数の対応する選択を経て、通過帯域の両側面が、対応して急勾配な形状を有することは可能である。さらに、このようにして非縦続接続された共振器の使用下では対応するフィルタ装置に対して通過帯域自体の波形を減衰することが可能である。並列縦続接続されたダブルゲート共振器ＺＲＰは、離間した接地端子を要求せずに、出力側で再度共通の接地端子ＭＡに又は連続して直列にそれ自体と接続され得る。
【００４１】
図９は、互いに独立した２つのＤＭＳフィルタトラックＤＳＰ１、ＤＳＰ２から作られることが可能なＤＭＳフィルタ構造を概略的に示した別の実施形態を示し、ＤＭＳフィルタトラックＤＳＰ１、ＤＳＰ２は出力側で互いに離間する縦続接続されたシングルゲート共振器ＲＳ１、ＲＳ２と直列に接続され得る。ここで、互いに対してすべての４つの要素の音響トラックをシフトすることは可能であるので、個々のトラックが質の悪い音響的終端であっても、異なる音響トラック間の音響結合が生じることはない。しかし２つの対称信号分岐によるフィルタ装置の両半分の良好な音響分離の利点はコンダクタトラックガイドの質の悪い対称性によって補正されるので、実フィルタにおいて、利点と不利点は重み付けされなければならない。
【００４２】
図１０は原理上可能な他の実施形態を示し、ここでＤＭＳフィルタ構造ＤＳｔに直列に接続された、縦続接続されたダブルゲート共振器ＺＲＳは３回縦続接続として構成される。そのような構成は、小さすぎる多くの電極指又は小さすぎる共振器の開口部による伝達損失を考慮する必要なく、特にパワーに対し耐性があり、低い電気容量ひいては特に極めて顕著な極位置を備えて形成され得る。原理上、並列に接続された共振器はより高度に縦続接続され得る。
【００４３】
前述の１０個の異なるフィルタ装置において、異なる要素は、ＤＭＳフィルタ構造に関して直列及び並列に接続された異なる縦続接続された共振器に接続される。しかし、前述の組み合わせに加えて、前述の要素を互いに交換し、したがって付加的な構造の変形体を得ることは容易に可能である。従って、例えば、直列に接続されたただ１つの共振器を備えて示された各フィルタ装置は付加的に並列共振器を備え得る。ダブルゲート共振器に接続されたフィルタ装置の全ては、互いに離間した２つのシングルゲート共振器で実装されることも可能である。ＤＭＳフィルタ構造は、本発明の基礎を成す考えから逸脱することなく、任意に、選択的に、より高い又は低い数の変換器で構成され得る。原理上、各実施形態は１又は２つ以上の別個のＤＭＳフィルタトラックを備えて構成され得る。さらに、追加のシングルゲート共振器は非対称のゲートにおいてゲートに並列に又は信号経路と直列に配置され得る。
【００４４】
図１１は、先端技術から知られているフィルタ装置と比較して、図２と同様に構成される図３に示されたフィルタ装置の伝達曲線を示すものであるが、そこでは縦続接続されたダブルゲートは非縦続接続された簡易直列ダブルゲート共振器によって置き換えられる。図１１Ｂの通り、通過帯域が拡大して示されたものであるが、共振し、直列に縦続接続したことにより、特に、伝達範囲の波形は改善され、従って挿入減衰は減少する。
【図面の簡単な説明】
【００４５】
【図１】２つの直列に縦続接続されたシングルゲート共振器を有する第１のフィルタ装置を示す。
【図２】シングルゲート共振器を組み合わせてダブルゲート共振器とした装置を示す。
【図３】ＤＭＳ構造の隣接するインターデジタル変換器のバスバーが伸張した電極指を介して接続される、図２に類似のフィルタ装置を示す。
【図４】３つの変換器のＤＭＳフィルタ構造及び縦続接続されたダブルゲート共振器を有するフィルタ装置を示す。
【図５】縦続接続された直列ダブルゲート共振器を備えた２つのＤＭＳトラックを有する装置を示す。
【図６】縦続接続された並列ダブルゲート共振器を有するフィルタ装置を示す。
【図７】５つの変換器のＤＭＳ構造及び縦続接続されたダブルゲート共振器を有するフィルタ装置を示す。
【図８】縦続接続された直列ダブルゲート共振器及び縦続接続された並列ダブルゲート共振器を有するフィルタ装置を示す。
【図９】２つのＤＭＳトラック及び２つの補正縦続接続されたシングルゲート共振器を有するフィルタ装置を示す。
【図１０】３回縦続接続された直列共振器を有するフィルタ装置を示す。
【図１１Ａ】図３に示されたフィルタのフィルタ伝達曲線を示す。
【図１１Ｂ】図３に示されたフィルタのフィルタ伝達曲線を示す。
【符号の説明】
【００４６】
ＤＳｔ  ＤＭＳフィルタ構造
ＤＳｐ  ＤＭＳフィルタトラック
ＲＳ    直列の縦続接続されたシングルゲート共振器
ＲＰ    並列の縦続接続されたシングルゲート共振器
ＺＲＳ  直列の縦続接続されたダブルゲート共振器
ＺＲＰ  並列の縦続接続されたダブルゲート共振器
Ｔ１，Ｔ２，Ｔ３  フィルタ装置の端子
ＤＡ１，ＤＡ２  ＤＭＳフィルタ構造の出力側端子
ＶＳ    Ｖスプリット変換器
ＦＶ    延長した電極指
ＭＡ    接地端子
【図１】
2009529260.tif 000003
【図２】
2009529260.tif 000004
【図３】
2009529260.tif 000005
【図４】
2009529260.tif 000006
【図５】
2009529260.tif 000007
【図６】
2009529260.tif 000008
【図７】
2009529260.tif 000009
【図８】
2009529260.tif 000010
【図９】
2009529260.tif 000011
【図１０】
2009529260.tif 000012
【図１１Ａ】
2009529260.tif 000013
【図１１Ｂ】
2009529260.tif 000014
【国際調査報告】
2009529260.tif 000015
2009529260.tif 000016
2009529260.tif 000017
2009529260.tif 000018